(57)【要約】【課題】過剰な特性改善を行わずに、低消費電力化を図る。【解決手段】受信制御部１１２は、デコーダ１１０から供給されるペイロード伝送レートの情報Ｉtrに基づいて、受信データの伝送レートを確認する。受信制御部１１２は、伝送レートが２本のアンテナで受信すべき伝送レートであると判断するときは、アンテナ１０１ａ，１０１ｂの両方の受信系をイネーブル状態（動作状態）とし、セレクタ１０７を受信信号Ｓabの選択状態とする。また、受信制御部１１２は、２本のアンテナで受信すべき伝送レートでないと判断するときは、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。【選択図】図１
2008085867.tif 000002
【特許請求の範囲】
【請求項１】
複数のアンテナを用いてダイバーシティ受信をする受信機であって、
上記各アンテナに対応した受信信号を得る複数の受信部と、
上記各受信部で得られた受信信号のうち、選択された一個の受信信号、または選択された複数個の受信信号の合成信号を出力するセレクタと、
上記セレクタの選択動作を、少なくとも、通信に利用する周波数帯、受信信号の振幅、伝送レートのいずれかに基づいて制御する受信制御部と
を備えることを特徴とする受信機。
【請求項２】
上記受信制御部は、上記伝送レートに基づいて、上記セレクタで選択される上記受信信号の個数を決定する
ことを特徴とする請求項１に記載の受信機。
【請求項３】
上記受信制御部は、
上記伝送レートに基づいて、上記セレクタで選択される上記受信信号の個数を決定し、
上記受信信号の振幅に基づいて、上記各受信部で得られた受信信号から、上記決定された個数の受信信号を選定する
ことを特徴とする請求項１に記載の受信機。
【請求項４】
上記受信制御部は、
上記伝送レートおよび上記受信信号の振幅に基づいて、上記セレクタで選択される上記受信信号の個数を決定し、
上記受信信号の振幅に基づいて、上記各受信部で得られた受信信号から、上記決定された個数の受信信号を選定する
ことを特徴とする請求項１に記載の受信機。
【請求項５】
上記受信制御部は、
上記受信信号の振幅に基づいて、上記セレクタで選択される上記受信信号の個数を決定し、
上記受信信号の振幅に基づいて、上記各受信部で得られた受信信号から、上記決定された個数の受信信号を選定する
ことを特徴とする請求項１に記載の受信機。
【請求項６】
上記各受信部は、複数のバンドグループのうち、設定されたバンドグループの周波数帯で通信を行って受信信号を取得するものであり、
上記受信制御部は、上記設定されたバンドグループに基づいて、上記セレクタで選択される上記受信信号の個数を決定する
ことを特徴する請求項１に記載の受信機。
【請求項７】
上記複数の受信部は、所定数のサブバンドを使用した複数の周波数ホッピングパターンのうち、設定された周波数ホッピングパターンで通信を行って受信信号を取得するものであり、
上記受信制御部は、上記設定された周波数ホッピングパターンに基づいて、上記セレクタで選択される上記受信信号の個数を決定する
ことを特徴とする請求項１に記載の受信機。
【請求項８】
上記複数の受信部は、ＯＦＤＭ信号を受信して上記受信信号を取得するものであり、
上記受信制御部は、上記ＯＦＤＭ信号のサブキャリアのアボイド情報に基づいて、上記セレクタで選択される上記受信信号の個数を決定する
ことを特徴とする請求項１に記載の受信機。
【請求項９】
複数のアンテナを用いてダイバーシティ受信をする受信方法であって、
上記各アンテナに対応した受信信号を得る受信ステップと、
上記受信ステップで得られた複数の受信信号のうち、選択された一個の受信信号、または選択された複数個の受信信号の合成信号を出力する選択ステップと、
上記選択ステップの選択動作を、少なくとも、通信に利用する周波数帯、受信信号の振幅、伝送レートのいずれかに基づいて制御する制御ステップと
を備えることを特徴とする受信方法。
【発明の詳細な説明】
【技術分野】
【０００１】
この発明は、複数のアンテナを用いてダイバーシティ受信をする受信機および受信方法に関する。詳しくは、この発明は、通信に利用する周波数帯、受信信号の振幅、伝送レート等に基づいてアンテナの使用本数を変更することにより、過剰な特性改善を行わずに、低消費電力化を図るようにした受信機等に係るものである。
【背景技術】
【０００２】
図２９は、複数のアンテナを用いてダイバーシティ受信をするＭＢ−ＯＦＤＭ(Multi Band-Orthogonal Frequency Division Multiplexing)受信機２００の構成例を示している。
【０００３】
この受信機２００は、アンテナ２０１ａ，２０１ｂと、ＲＦ（高周波）部２０２ａ，２０２ｂと、Ａ／Ｄ変換器２０３ａ，２０３ｂと、ＦＦＴ(Fast Fourier Transform)部２０４ａ，２０４ｂと、チャネル補正部２０５ａ，２０５ｂと、合成器２０６と、復調部２０７と、デインターリーバ２０８と、デコーダ２０９と、出力端子２１０とを有している。ＲＦ部２０２ａ，２０２ｂ、Ａ／Ｄ変換器２０３ａ，２０３ｂ、ＦＦＴ部２０４ａ，２０４ｂおよびチャネル補正部２０５ａ，２０５ｂは、受信部を構成している。
【０００４】
アンテナ２０１ａ，２０１ｂは、ダイバーシティ受信を行うために配置された２本の受信アンテナである。ＲＦ部２０２ａ，２０２ｂは、アンテナ２０１ａ，２０１ｂを介して受信されるマルチキャリア信号（ＯＦＤＭ信号）に対して、ダウンコンバート等の所定の無線処理を行う。Ａ／Ｄ変換器２０３ａ，２０３ｂは、ＲＦ部２０２ａ，２０２ｂから出力されるマルチキャリア信号をアナログ信号からデジタル信号に変換する。
【０００５】
ＦＦＴ部２０４ａ，２０４ｂは、Ａ／Ｄ変換器２０３ａ，２０３ｂでデジタル信号に変換されたマルチキャリア信号に対してＦＦＴ（高速フーリエ変換）の処理を施し、マルチキャリア信号を時間軸の信号から周波数軸の信号に変換し、さらにサブキャリア復調（ＱＰＳＫ復調等）を行って、サブキャリア毎に、受信信号（Ｉ信号およびＱ信号）を取得する。
【０００６】
チャネル補正部２０５ａ，２０５ｂは、ＦＦＴ部２０４ａ，２０４ｂから出力される受信信号の振幅および位相の変動を、サブキャリア毎に、補正する。この場合、チャネル補正部２０５ａ，２０５ｂは、サブキャリア毎に、受信信号を構成するチャネル推定信号に既知の信号を乗算する処理により受信信号の振幅および位相の変動を推定して補正処理を実行する。
【０００７】
合成器２０６は、チャネル補正部２０５ａで補正された受信信号（アンテナ２０１ａの受信系における受信信号）と、チャネル補正部２０５ｂで補正された受信信号（アンテナ２０１ｂの受信系における受信信号）とを、合成する。復調部２０７は、サブキャリア毎に、合成器２０６で得られる合成受信信号（Ｉ信号およびＱ信号）を用いて、デマッピングの処理を行って受信データ（符号化され、かつインターリーブ処理されているシリアルデータ）を取得する。
【０００８】
デインターリーバ２０８は、復調部２０７で得られた受信データに対して、デインターリーブ処理をする。デコーダ２０９は、デインターリーバ２０８でデインターリーブ処理された受信データに対して復号化処理を行って出力端子２１０に出力する。
【０００９】
図２９に示すＭＢ−ＯＦＤＭ受信機２００においては、常に、２本のアンテナ２０１ａ，２０１ｂが使用される。ＭＢ−ＯＦＤＭ方式では、ＰＨＹモードは５３．３Ｍbpsから４８０Ｍbpsまで８種類定義される。このＭＢ−ＯＦＤＭ方式は、非特許文献１、および非特許文献２に記載されている。
【００１０】
図３０は、ＭＢ−ＯＦＤＭ方式におけるＰＨＹパラメータを示している。ＭＢ−ＯＦＤＭ方式において、２００Mbps以下の伝送レートでは、ＱＰＳＫ(Quadrature Phase ShiftKeying)変調方式が採用されると共に、周波数軸のデータ拡散ＦＤＳ(Frequency DomainSpreading)、または、時間軸のデータ拡散ＴＤＳ(Time Domain Spreading)を行うことで、低Ｓ／Ｎでも伝送可能としている。また、ＭＢ−ＯＦＤＭ方式において、３２０Mbps以上の伝送レートでは、１６ＱＡＭ(Quadrature AmplitudeModulation)の信号点配置と似たＤＣＭという変調方式が採用されている。
【００１１】
図２９に示すＭＢ−ＯＦＤＭ受信機２００では、２本のアンテナ２０１ａ，２０１ｂが常に使用状態に置かれるので、１つのアンテナで受信する場合に対する消費電力の増加は、伝送レートに拘わらず同じである。また、特性の改善度合いとしては、低いレートではそれほど大きくないが、高いレートでは改善度合いが大きい。つまり同じ消費電力の増加にも関わらず、効果に差がある。
【００１２】
また、低いレートの場合は、高いレートの場合と比べて、アンテナが1つでもかなりの飛距離がある。Wireless  ＵＳＢ(Universal Serial Bus)のＭＭＣ(Micro-scheduledManagement Command)のデータのように、伝送路の状態に関係なく、低いレートで送るときもあるので、２本のアンテナで受信することで、過剰に特性が改善されるということもある。
【００１３】
特許文献１には、複数アンテナを使用して受信を開始し、受信電力の平均パワーが大きい場合は、いくつかのアンテナで受信をオフすることで、低消費電力化を目的としたＯＦＤＭ受信装置が記載されている。
【特許文献１】特開２００４−２７４６０３号公報
【非特許文献１】ＩＥＥＥ  Ｐ８０２．１５−０３／２６８ｒ１
【非特許文献２】ＩＥＥＥ  Ｐ８０２．１５−０３／２６７ｒ６
【発明の開示】
【発明が解決しようとする課題】
【００１４】
上述の特許文献１においては、受信電力の平均パワーに関連してアンテナの使用本数を変更するものであり、伝送レートを基準としてアンテナの使用本数を変更して低消費電力化を図ることについては考えられていない。
【００１５】
この発明の目的は、伝送レート等に基づいてアンテナの使用本数を変更し、過剰な特性改善を行わずに、低消費電力化を図ることにある。
【課題を解決するための手段】
【００１６】
この発明の概念は、
複数のアンテナを用いてダイバーシティ受信をする受信機であって、
上記各アンテナに対応した受信信号を得る複数の受信部と、
上記各受信部で得られた受信信号のうち、選択された一個の受信信号、または選択された複数個の受信信号の合成信号を出力するセレクタと、
上記セレクタの選択動作を、少なくとも、通信に利用する周波数帯、受信信号の振幅、伝送レートのいずれかに基づいて制御する受信制御部と
を備えることを特徴とする受信機にある。
【００１７】
この発明において、複数の受信部では、複数のアンテナに対応した受信信号が得られる。セレクタからは、各受信部で得られた受信信号のうち、選択された一個の受信信号、または選択された複数個の受信信号の合成信号が出力される。セレクタの選択動作は、受信制御部により、少なくとも、通信に利用する周波数帯、受信信号の振幅、伝送レートのいずれかに基づいて、制御される。この発明においては、通信に利用する周波数帯、受信信号の振幅、伝送レート等に基づいてアンテナの使用本数が変更されるため、過剰な特性改善を行わずに、低消費電力化を図ることが可能となる。
【００１８】
例えば、受信制御部では、伝送レートに基づいて、セレクタで選択される受信信号の個数（使用アンテナ本数に対応）が決定される。また、例えば、受信制御部では、さらに、受信信号の振幅に基づいて、各受信部で得られた受信信号から、決定された個数の受信信号が選定される。
【００１９】
例えば、伝送レートによって、合成ダイバーシティの効果に差がある場合が考えられる。特に、ＭＢ−ＯＦＤＭ方式の場合、５３Mbps等の低レートでは周波数軸拡散、時間軸拡散をしていることから、既にダイバーシティ効果を得ている。また、５３Ｍbps等の低レートでは、充分な伝送距離もある。アンテナ本数を一本増やすと３dBの改善となるが、５３Ｍbps等の低レートでは、過剰に特性を良くしているとも考えられる。逆に４８０Ｍbpsの場合、アンテナの本数を増やすことのダイバーシティ効果が大きく、1本増やすと５〜６dBの改善を期待できる。
【００２０】
従って、５３Mbpsのような低レートの場合は、使用アンテナ本数が減らされ、不使用のアンテナに対応したＲＦ部、Ａ／Ｄ変換器、ＦＦＴ部、チャネル補正部等の動作が停止され、低消費電力化が図られる。また、使用するアンテナが受信信号の振幅に基づいて選定されることで、使用するアンテナ本数において、より高い受信特性を得ることが可能となる。
【００２１】
また、例えば、受信制御部では、伝送レートおよび受信信号の振幅に基づいて、セレクタで選択される受信信号の個数が決定されると共に、受信信号の振幅に基づいて、各受信部で得られた受信信号から、決定された個数の受信信号が選定される。この場合、セレクタで選択される受信信号の個数が、伝送レートの他に受信信号の振幅も考慮されて決定されるので、実際は受信状況が悪いのに伝送レートが低いというだけで使用アンテナ本数が少なくされるという不都合を回避できる。
【００２２】
また、例えば、受信制御部では、受信信号の振幅に基づいて、セレクタで選択される受信信号の個数が決定されると共に、受信信号の振幅に基づいて、各受信部で得られた受信信号から、決定された個数の受信信号が選定される。この場合、セレクタで選択される受信信号の個数が受信信号の振幅のみで決定されるので、実際の受信状況に応じて使用アンテナ本数を変更できる。
【００２３】
また、例えば、各受信部は、複数のバンドグループのうち、設定されたバンドグループの周波数帯で通信を行って受信信号を取得するものであり、受信制御部では、設定されたバンドグループに基づいて、セレクタで選択される受信信号の個数が決定される。バンドグループは、通信を行う周波数を意味する。周波数の低いバンドグループを使用している場合は、自由空間損失が小さく、伝搬距離が長くなるので、使用アンテナ本数が減らされ、不使用のアンテナに対応したRF部、Ａ／Ｄ変換器、ＦＦＴ部等の動作が停止され、低消費電力化が図られる。
【００２４】
また、例えば、各受信部は、所定数のサブバンドを使用した複数の周波数ホッピングパターンのうち、設定された周波数ホッピングパターンで通信を行って受信信号を取得するものであり、受信制御部では、設定された周波数ホッピングパターンに基づいて、セレクタで選択された受信信号の個数が決定される。多くのサブバンドを使用する周波数ホッピングパターンを使用している場合は、電力の瞬時値を大きくして伝送距離を伸ばすことができるので、使用アンテナ本数が減らされ、不使用のアンテナに対応したRF部、Ａ／Ｄ変換器、ＦＦＴ部等の動作が停止され、低消費電力化が図られる。
【００２５】
また、例えば、各受信部は、ＯＦＤＭ信号を受信して受信信号を取得するものであり、受信制御部では、ＯＦＤＭ信号のサブキャリアのアボイド情報に基づいて、セレクタで選択される受信信号の個数が決定される。この場合、アボイドされたサブキャリアと同一の情報を送っているサブキャリア部分では使用アンテナ本数が増やされるが、その他のサブキャリア部分では使用アンテナ本数が減らされ、不使用のアンテナに対応したRF部、Ａ／Ｄ変換器、ＦＦＴ部等の動作が停止され、低消費電力化が図られる。
【発明の効果】
【００２６】
この発明によれば、通信に利用する周波数帯、受信信号の振幅、伝送レート等に基づいてアンテナの使用本数を変更するものであり、過剰な特性改善を行わずに、低消費電力化を図ることができる。
【発明を実施するための最良の形態】
【００２７】
第１の実施の形態について説明する。図１は、第１の実施の形態としてのＭＢ−ＯＦＤＭ受信機１００Ａの構成を示している。この受信機１００Ａは、２本のアンテナを使用したダイバーシティ受信を行う。
【００２８】
この受信機１００Ａは、アンテナ１０１ａ，１０１ｂと、ＲＦ部１０２ａ，１０２ｂと、Ａ／Ｄ変換器１０３ａ，１０３ｂと、ＦＦＴ(Fast Fourier Transform)部１０４ａ，１０４ｂと、チャネル補正部１０５ａ，１０５ｂと、合成器１０６と、セレクタ１０７と、復調部１０８と、デインターリーバ１０９と、デコーダ１１０と、出力端子１１１と、受信制御部１１２とを有している。ＲＦ部１０２ａ，１０２ｂ、Ａ／Ｄ変換器１０３ａ，１０３ｂ、ＦＦＴ部１０４ａ，１０４ｂおよびチャネル補正部１０５ａ，１０５ｂは、受信部を構成している。
【００２９】
アンテナ１０１ａ，１０１ｂは、ダイバーシティ受信を行うために配置された２本の受信アンテナである。ＲＦ部１０２ａ，１０２ｂは、アンテナ１０１ａ，１０１ｂを介して受信されるマルチキャリア信号（ＯＦＤＭ信号）に対して、ダウンコンバート等の所定の無線処理を行う。Ａ／Ｄ変換器１０３ａ，１０３ｂは、ＲＦ部１０２ａ，１０２ｂから出力されるマルチキャリア信号をアナログ信号からデジタル信号に変換する。
【００３０】
ＦＦＴ部１０４ａ，１０４ｂは、Ａ／Ｄ変換器１０３ａ，１０３ｂでデジタル信号に変換されたマルチキャリア信号に対してＦＦＴ（高速フーリエ変換）の処理を施し、マルチキャリア信号を時間軸の信号から周波数軸の信号に変換し、さらにサブキャリア復調（ＱＰＳＫ復調等）を行って、サブキャリア毎に、受信信号（Ｉ信号およびＱ信号）を取得する。
【００３１】
チャネル補正部１０５ａ，１０５ｂは、ＦＦＴ部１０４ａ，１０４ｂから出力される受信信号の振幅および位相の変動を、サブキャリア毎に、補正する。この場合、チャネル補正部１０５ａ，１０５ｂは、サブキャリア毎に、受信信号を構成するチャネル推定信号に既知の信号を乗算する処理により受信信号の振幅および位相の変動を推定して補正処理を実行する。
【００３２】
合成器１０６は、チャネル補正部１０５ａで補正された受信信号（アンテナ１０１ａの受信系における受信信号）Ｓａと、チャネル補正部１０５ｂで補正された受信信号（アンテナ１０１ｂの受信系における受信信号）Ｓｂとを、合成する。セレクタ１０７は、受信制御部１１２の制御の下、チャネル補正部１０５ａから出力される受信信号Ｓａ、チャネル補正部１０５ｂから出力される受信信号Ｓｂ、または合成器１０６から出力される合成受信信号Ｓabを、選択的に出力する。
【００３３】
復調部１０８は、サブキャリア毎に、セレクタ１０７から出力される受信信号（Ｉ信号およびＱ信号）を用いて、デマッピングの処理を行って受信データ（符号化され、かつインターリーブ処理されているシリアルデータ）を取得する。デインターリーバ１０９は、復調部１０８で得られた受信データに対して、デインターリーブ処理をする。デコーダ１１０は、デインターリーバ１０９でデインターリーブ処理された受信データに対して復号化処理を行って出力端子１１１に出力する。
【００３４】
受信制御部１１２は、デコーダ１１０から供給される伝送レートの情報Ｉtrに基づいて、セレクタ１０７の選択動作を制御する。上述したように、ＭＢ−ＯＦＤＭ方式では、ＰＨＹモードは５３．３Ｍbpsから４８０Ｍbpsまで８種類定義される（図３０参照）。受信制御部１１２は、２００Ｍbps以下の伝送レートでは、受信信号Ｓａまたは受信信号Ｓｂを出力するように、セレクタ１０７を制御する。
【００３５】
この場合、受信信号Ｓａが選択されるということは、アンテナ１０１ａが使用アンテナとなり、アンテナ１０１ｂが不使用アンテナとなることを意味する。従って、この場合、受信制御部１１２は、アンテナ１０１ａの受信系を構成するＲＦ部１０２ａ、Ａ／Ｄ変換器１０３ａ、ＦＦＴ部１０４ａおよびチャネル補正部１０５ａを電源オンとして動作状態とし、一方、アンテナ１０１ｂの受信系を構成するＲＦ部１０２ｂ、Ａ／Ｄ変換器１０３ｂ、ＦＦＴ部１０４ｂおよびチャネル補正部１０５ｂを電源オフとして非動作状態とする。
【００３６】
逆に、受信信号Ｓｂが選択されるということは、アンテナ１０１ｂが使用アンテナとなり、アンテナ１０１ａが不使用アンテナとなることを意味する。従って、この場合、受信制御部１１２は、アンテナ１０１ｂの受信系を構成するＲＦ部１０２ｂ、Ａ／Ｄ変換器１０３ｂ、ＦＦＴ部１０４ｂおよびチャネル補正部１０５ｂを電源オンとして動作状態とし、一方、アンテナ１０１ａの受信系を構成するＲＦ部１０２ａ、Ａ／Ｄ変換器１０３ａ、ＦＦＴ部１０４ａおよびチャネル補正部１０５ａを電源オフとして非動作状態とする。
【００３７】
また、受信制御部１１２は、３２０Ｍbps以上の伝送レートでは、合成受信信号Ｓabを出力するように、セレクタ１０７を制御する。この場合、合成受信信号Ｓabが選択されるということは、アンテナ１０１ａ，１０１ｂの両方が使用アンテナとなることを意味する。従って、この場合、受信制御部１１２は、アンテナ１０１ａの受信系を構成するＲＦ部１０２ａ、Ａ／Ｄ変換器１０３ａ、ＦＦＴ部１０４ａおよびチャネル補正部１０５ａを電源オンとして動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５ｂも電源オンとして動作状態とする。
【００３８】
図１に示す受信機１００Ａの動作を説明する。
【００３９】
アンテナ１０１ａの受信信号はＲＦ部１０２ａに供給される。このＲＦ部１０２ａでは、アンテナ１０１ａの受信信号に対してダウンコンバート等の所定の無線処理が行われる。このＲＦ部１０２ａで得られるマルチキャリア信号（ＯＦＤＭ信号）は、Ａ／Ｄ変換器１０３ａでアナログ信号からデジタル信号に変換されて、ＦＦＴ部１０４ａに供給される。
【００４０】
ＦＦＴ部１０４ａでは、ＦＦＴ（高速フーリエ変換）の処理により、マルチキャリア信号が、時間軸の信号から周波数軸の信号に変換され、さらにサブキャリア復調（ＱＰＳＫ復調等）が行われて、サブキャリア毎に、受信信号（Ｉ信号およびＱ信号）が得られる。
【００４１】
ＦＦＴ部１０４ａから出力される受信信号はチャネル補正部１０５ａに供給される。このチャネル補正部１０５ａでは、サブキャリア毎に、受信信号を構成するチャネル推定信号に既知の信号を乗算する処理により受信信号の振幅および位相の変動が推定されて、当該受信信号の振幅および位相の変動が補正され、補正された受信信号Ｓａが得られる。
【００４２】
アンテナ１０１ｂの受信系においても同様にして、チャネル補正部１０５ｂでは、補正された受信信号Ｓｂが得られる。チャネル補正部１０５ａ，１０５ｂで得られる受信信号Ｓａ，Ｓｂは、セレクタ１０７に入力される。また、この受信信号Ｓａ，Ｓａは合成器１０６で合成され、合成受信信号Ｓabとしてセレクタ１０７に入力される。
【００４３】
セレクタ１０７では、受信制御部１１２の制御により、受信信号Ｓａ、受信信号Ｓｂまたは受信信号Ｓabのいずれかが選択されて出力される。この場合、２００Ｍbps以下の伝送レートでは、周波数軸拡散、時間軸拡散により既にダイバーシティ効果を得ていることから、受信信号Ｓａまたは受信信号Ｓｂが選択されて出力される。そして、この場合、不使用のアンテナの受信系における受信部（ＲＦ部、Ａ／Ｄ変換器、ＦＦＴ部、チャネル補正部等）の動作が停止されて、低消費電力化が図られる。一方、３２０Ｍbps以上の伝送レートでは、合成受信信号Ｓabが選択されて出力される。この場合、合成ダイバーシティ効果によりＰＥＲ（パケット誤り率）の改善が図られる。
【００４４】
セレクタ１０７から出力される各サブキャリアの受信信号（Ｉ信号およびＱ信号）は復調部１０８に供給される。復調部１０８では、サブキャリア毎に、セレクタ１０７から出力される受信信号（Ｉ信号およびＱ信号）を用いてデマッピングの処理が行われ、受信データ（符号化され、かつインターリーブ処理されているシリアルデータ）が得られる。この受信データは、デインターリーバ１０９でインターリーブ処理され、さらにデコーダ１１０で復号化処理されて、出力端子１１１に出力される。
【００４５】
図２のフローチャートは、受信制御部１１２の制御手順を示している。受信制御部１１２は、ステップＳＴ１で受信が開始されるとき、ステップＳＴ２に移り、デコーダ１１０から供給されるペイロード伝送レートの情報Ｉtrに基づいて、受信データのペイロード伝送レートを確認する。次に、受信制御部１１２は、ステップＳＴ３で、ペイロード伝送レートが、２本のアンテナで受信すべき伝送レートであるか否かを判定する。
【００４６】
受信制御部１１２は、２本のアンテナで受信すべき伝送レート、つまり３２０Ｍbps以上の伝送レートであるときは、ステップＳＴ４に進み、アンテナ１０１ａ，１０１ｂの両方の受信系をイネーブル状態（動作状態）とし、セレクタ１０７を受信信号Ｓabの選択状態とする。また、受信制御部１１２は、２本のアンテナで受信すべき伝送レートでない伝送レート、つまり２００Ｍbps以下の伝送レートであるときは、ステップＳＴ５に進み、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。
【００４７】
図３は、受信データに対する、アンテナ１０１ａの受信系およびアンテナ１０１ｂの受信系のイネーブル状態の一例を示している。
【００４８】
受信データは、パケット構成となっている。このパケットは、プリアンブル信号、チャネル推定信号、ヘッダおよびペイロードが順に配置された構成となっている。チャネル推定信号は、上述したように、チャネル補正部１０５ａ，１０５ｂにおいて使用される。ペイロードの伝送レート情報Ｉtrはヘッダに含まれている。
【００４９】
この図３の例は、伝送レートが２００Ｍbps以下の伝送レートであって、ペイロードをアンテナ１０１ｂのみで受信する例を示している。この場合、受信制御部１１２は、最初はアンテナ１０１ａ，１０１ｂの双方で受信するように制御し、ヘッダの伝送レート情報Ｉtrにより伝送レートが２００Ｍbps以下であることを確認した後、アンテナ１０１ｂのみで受信するように切り替える。
【００５０】
図４は、受信データに対する、アンテナ１０１ａの受信系およびアンテナ１０１ｂの受信系のイネーブル状態の一例を示している。この図４の例は、ペイロード伝送レートが３２０Ｍbps以上の伝送レートである例を示している。この場合、受信制御部１１２は、最初はアンテナ１０１ａ，１０１ｂの双方で受信するように制御し、ヘッダの伝送レート情報Ｉtrにより伝送レートが３２０Ｍbps以上であることを確認した後、そのまま、アンテナ１０１ａ，１０１ｂの双方で受信するように制御する。
【００５１】
図１に示すＭＢ−ＯＦＤＭ受信機１００Ａにおいては、伝送レートが２００Ｍbps以下の伝送レートであるときは、周波数軸拡散、時間軸拡散により既にダイバーシティ効果を得ていることから、セレクタ１０７では受信信号Ｓａまたは受信信号Ｓｂが選択されて使用アンテナ本数が１本とされ、不使用のアンテナに対応したＲＦ部、Ａ／Ｄ変換器、ＦＦＴ部、チャネル補正部等の動作が停止されるので、低消費電力化を図ることができる。
【００５２】
次に、この発明の第２の実施の形態について説明する。図５は、第２の実施の形態としてのＭＢ−ＯＦＤＭ受信機１００Ｂの構成を示している。この図５において、図１と対応する部分には同一符号を付し、その詳細説明は省略する。
【００５３】
受信機１００Ｂにおいては、図１の受信機１００Ａにおけるチャネル補正部１０５ａ，１０５ｂの代わりに、チャネル補正部１０５Ｂａ、１０５Ｂｂが設けられる。
【００５４】
チャネル補正部１０５Ｂａ、１０５Ｂｂは、チャネル補正部１０５ａ，１０５ｂと同様に、ＦＦＴ部１０４ａ，１０４ｂから出力される受信信号の振幅および位相の変動を、サブキャリア毎に、補正する。この場合、チャネル補正部１０５Ｂａ，１０５Ｂｂは、サブキャリア毎に、受信信号を構成するチャネル推定信号に既知の信号を乗算する処理により受信信号の振幅および位相の変動を推定して補正処理を実行する。
【００５５】
また、チャネル補正部１０５Ｂａ、１０５Ｂｂは、上述したサブキャリア毎の受信信号の振幅の推定値に基づいて、受信信号の振幅情報Ｉama，Ｉambを生成する。この場合、チャネル補正部１０５Ｂａ、１０５Ｂｂでは、例えば、各サブキャリアの振幅推定値が平均化されることで振幅情報Ｉama，Ｉambが得られる。
【００５６】
また、受信機１００Ｂにおいては、図１の受信機１００Ａにおける受信制御部１１２の代わりに、受信制御部１１２Ｂが設けられる。
【００５７】
受信制御部１１２Ｂは、デコーダ１１０から供給される伝送レートの情報Ｉtrおよびチャネル補正部１０５Ｂａ，１０５Ｂｂで得られる受信信号の振幅情報Ｉama，Ｉambに基づいて、セレクタ１０７の選択動作を制御する。この場合、受信制御部１１２Ｂは、以下の、制御Ｂ１または制御Ｂ２を行う。
【００５８】
（１）制御Ｂ１
上述したように、ＭＢ−ＯＦＤＭ方式では、ＰＨＹモードは５３．３Ｍbpsから４８０Ｍbpsまで８種類定義される（図３０参照）。受信制御部１１２Ｂは、伝送レート情報Ｉtrに基づいて、２００Ｍbps以下の伝送レートであるときは、受信信号Ｓａまたは受信信号Ｓｂを出力するように、セレクタ１０７を制御する。そして、この場合、受信制御部１１２Ｂは、振幅情報Ｉama，Ｉambに基づき、受信信号Ｓａの振幅が受信信号Ｓｂの振幅より大きいときは受信信号Ｓａを選定し、逆に、受信信号Ｓｂの振幅が受信信号Ｓａの振幅より大きいときは受信信号Ｓｂを選定する。
【００５９】
受信制御部１１２Ｂは、受信信号Ｓａを選定するとき、アンテナ１０１ａの受信系を構成するＲＦ部１０２ａ、Ａ／Ｄ変換器１０３ａ、ＦＦＴ部１０４ａおよびチャネル補正部１０５Ｂａを電源オンとして動作状態とし、アンテナ１０１ｂの受信系を構成するＲＦ部１０２ｂ、Ａ／Ｄ変換器１０３ｂ、ＦＦＴ部１０４ｂおよびチャネル補正部１０５Ｂｂを電源オフとして非動作状態とする。また、受信制御部１１２Ｂは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【００６０】
また、受信制御部１１２Ｂは、伝送レート情報Ｉtrに基づいて、３２０Ｍbps以上の伝送レートであるときは、合成受信信号Ｓabを出力するように、セレクタ１０７を制御する。また、この場合、受信制御部１１２Ｂは、アンテナ１０１ａの受信系を構成するＲＦ部１０２ａ、Ａ／Ｄ変換器１０３ａ、ＦＦＴ部１０４ａおよびチャネル補正部１０５Ｂａを動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５Ｂｂも動作状態とする。
【００６１】
（２）制御Ｂ２
受信制御部１１２Ｂは、伝送レート情報Ｉtrおよび振幅情報Ｉama，Ｉambに基づき、受信信号Ｓａ，Ｓｂの振幅に対して２本のアンテナで受信すべき伝送レートでないと判断するときは、受信信号Ｓａまたは受信信号Ｓｂを出力するように、セレクタ１０７を制御する。なお、この判断を行うための基準は予め設定される。
【００６２】
そして、この場合、受信制御部１１２Ｂは、振幅情報Ｉama，Ｉambに基づき、受信信号Ｓａの振幅が受信信号Ｓｂの振幅より大きいときは受信信号Ｓａを選定し、逆に、受信信号Ｓｂの振幅が受信信号Ｓａの振幅より大きいときは受信信号Ｓｂを選定する。
【００６３】
受信制御部１１２Ｂは、受信信号Ｓａを選定するとき、アンテナ１０１ａの受信系を構成するＲＦ部１０２ａ、Ａ／Ｄ変換器１０３ａ、ＦＦＴ部１０４ａおよびチャネル補正部１０５Ｂａを電源オンとして動作状態とし、アンテナ１０１ｂの受信系を構成するＲＦ部１０２ｂ、Ａ／Ｄ変換器１０３ｂ、ＦＦＴ部１０４ｂおよびチャネル補正部１０５Ｂｂを電源オフとして非動作状態とする。また、受信制御部１１２Ｂは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【００６４】
また、受信制御部１１２Ｂは、伝送レート情報Ｉtrおよび振幅情報Ｉama，Ｉambに基づき、受信信号Ｓａ，Ｓｂの振幅に対して２本のアンテナで受信すべき伝送レートであると判断するときは、合成受信信号Ｓabを出力するように、セレクタ１０７を制御する。また、この場合、受信制御部１１２Ｂは、アンテナ１０１ａの受信系を構成するＲＦ部１０２ａ、Ａ／Ｄ変換器１０３ａ、ＦＦＴ部１０４ａおよびチャネル補正部１０５Ｂａを動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５Ｂｂも動作状態とする。
【００６５】
図５に示す受信機１００Ｂのその他の構成は、図１に示す受信機１００Ａの構成と同様である。また、受信機１００Ｂの動作は、受信制御部１１２Ｂの制御動作を除き、受信機１００Ａの動作と同様である。
【００６６】
図６のフローチャートは、受信制御部１１２Ｂの、上述した「制御Ｂ１」の制御手順を示している。受信制御部１１２Ｂは、ステップＳＴ１１で受信が開始されるとき、ステップＳＴ１２に移り、チャネル補正部１０５Ｂａ，１０５Ｂｂで得られた受信信号Ｓａ，Ｓｂの振幅情報Ｉama，Ｉambに基づいて、受信信号Ｓａ，Ｓｂの振幅を確認する。また、受信制御部１１２Ｂは、ステップＳＴ１３で、デコーダ１１０から供給されるペイロード伝送レートの情報Ｉtrに基づいて、受信データのペイロード伝送レートを確認する。次に、受信制御部１１２Ｂは、ステップＳＴ１４で、ペイロード伝送レートが、２本のアンテナで受信すべき伝送レートであるか否かを判定する。
【００６７】
受信制御部１１２Ｂは、２本のアンテナで受信すべき伝送レート、つまり３２０Ｍbps以上の伝送レートであるときは、ステップＳＴ１５に進み、アンテナ１０１ａ，１０１ｂの両方の受信系をイネーブル状態（動作状態）とし、セレクタ１０７を受信信号Ｓabの選択状態とする。
【００６８】
この場合、受信制御部１１２Ｂは、例えば、最初はアンテナ１０１ａ，１０１ｂの双方で受信するように制御し、ヘッダの伝送レート情報Ｉtrにより伝送レートが３２０Ｍbps以上であることを確認した後、そのまま、アンテナ１０１ａ，１０１ｂの双方で受信するように制御する（図４参照）。
【００６９】
また、受信制御部１１２Ｂは、２本のアンテナで受信すべき伝送レートでない伝送レート、つまり２００Ｍbps以下の伝送レートであるときは、ステップＳＴ１６に進み、受信信号Ｓａ，Ｓｂの振幅を比較する。そして、受信制御部１１２Ｂは、ステップＳＴ１７で、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。受信制御部１１２Ｂは、受信信号Ｓａの振幅が受信信号Ｓｂの振幅より大きいときは受信信号Ｓａの選択状態とし、逆に、受信信号Ｓｂの振幅が受信信号Ｓａの振幅より大きいときは受信信号Ｓｂの選択状態とする。
【００７０】
この場合、受信制御部１１２Ｂは、最初はアンテナ１０１ａ，１０１ｂの双方で受信するように制御し、ヘッダの伝送レート情報Ｉtrにより伝送レートが２００Ｍbps以下であることを確認した後、アンテナ１０１ａまたはアンテナ１０１ｂのみで受信するように切り替える（アンテナ１０１ｂのみで受信する場合、図３参照）。
【００７１】
図７のフローチャートは、受信制御部１１２Ｂの、上述した「制御Ｂ２」の制御手順を示している。受信制御部１１２Ｂは、ステップＳＴ２１で受信が開始されるとき、ステップＳＴ２２に移り、チャネル補正部１０５Ｂａ，１０５Ｂｂで得られた受信信号Ｓａ，Ｓｂの振幅情報Ｉama，Ｉambに基づいて、受信信号Ｓａ，Ｓｂの振幅を確認する。また、受信制御部１１２Ｂは、ステップＳＴ２３で、デコーダ１１０から供給されるペイロード伝送レートの情報Ｉtrに基づいて、受信データのペイロード伝送レートを確認する。次に、受信制御部１１２Ｂは、ステップＳＴ２４で、受信信号Ｓａ，Ｓｂの振幅に対して２本のアンテナで受信すべき伝送レートであるか否かを判定する。
【００７２】
受信制御部１１２Ｂは、受信信号Ｓａ，Ｓｂの振幅に対して２本のアンテナで受信すべき伝送レートであるときは、ステップＳＴ２５に進み、アンテナ１０１ａ，１０１ｂの両方の受信系をイネーブル状態（動作状態）とし、セレクタ１０７を受信信号Ｓabの選択状態とする。
【００７３】
この場合、受信制御部１１２Ｂは、例えば、最初はアンテナ１０１ａ，１０１ｂの双方で受信するように制御し、ヘッダの伝送レート情報Ｉtrおよび振幅情報Ｉama，Ｉambにより２本のアンテナで受信すべき伝送レートであることを確認した後、そのまま、アンテナ１０１ａ，１０１ｂの双方で受信するように制御する（図４参照）。
【００７４】
また、受信制御部１１２Ｂは、受信信号Ｓａ，Ｓｂの振幅に対して２本のアンテナで受信すべき伝送レートでないときは、ステップＳＴ２６に進み、受信信号Ｓａ，Ｓｂの振幅を比較する。そして、受信制御部１１２Ｂは、ステップＳＴ２７で、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。受信制御部１１２Ｂは、受信信号Ｓａの振幅が受信信号Ｓｂの振幅より大きいときは受信信号Ｓａの選択状態とし、逆に、受信信号Ｓｂの振幅が受信信号Ｓａの振幅より大きいときは受信信号Ｓｂの選択状態とする。
【００７５】
この場合、受信制御部１１２Ｂは、最初はアンテナ１０１ａ，１０１ｂの双方で受信するように制御し、ヘッダの伝送レート情報Ｉtrおよび振幅情報Ｉama，Ｉambにより２本のアンテナで受信すべき伝送レートでないことを確認した後、アンテナ１０１ａまたはアンテナ１０１ｂのみで受信するように切り替える（アンテナ１０１ｂのみで受信する場合、図３参照）。
【００７６】
図５に示すＭＢ−ＯＦＤＭ受信機１００Ｂにおいては、２本のアンテナで受信すべき伝送レートでないとき（制御Ｂ１）、あるいは、受信信号Ｓａ，Ｓｂの振幅に対して２本のアンテナで受信すべき伝送レートでないとき（制御Ｂ２）には、セレクタ１０７では受信信号Ｓａまたは受信信号Ｓｂが選択されて使用アンテナ本数が１本とされ、不使用のアンテナに対応したＲＦ部、Ａ／Ｄ変換器、ＦＦＴ部、チャネル補正部等の動作が停止されるので、低消費電力化を図ることができる。
【００７７】
また、図５に示すＭＢ−ＯＦＤＭ受信機１００Ｂにおいては、受信制御部１１２Ｂが制御Ｂ２を行う場合には、２本のアンテナを使用するか１本のアンテナを使用するかが、ペイロードの伝送レートの他に受信信号Ｓａ，Ｓｂの振幅も考慮されて決定されるので、実際は受信状況が悪いのに伝送レートが低いというだけで使用アンテナ本数が少なくされるという不都合を回避できる。
【００７８】
また、図５に示すＭＢ−ＯＦＤＭ受信機１００Ｂにおいては、１本のアンテナを使用する際に、受信信号Ｓａ，Ｓｂの振幅に基づいてアンテナ１０１ａを使用するか、アンテナ１０１ｂを使用するかを決めているので、１本のアンテナを使用する上で、より高い受信特性を得ることができる。
【００７９】
次に、この発明の第３の実施の形態について説明する。図８は、第３の実施の形態としてのＭＢ−ＯＦＤＭ受信機１００Ｃの構成を示している。この図８において、図１、図５と対応する部分には同一符号を付し、その詳細説明は省略する。
【００８０】
受信機１００Ｃにおいては、図１、図５の受信機１００Ａ，１００ＢにおけるＲＦ部１０２ａ，１０２ｂの代わりに、ＲＦ部１０２Ｃａ，１０２Ｃｂが設けられる。ＲＦ部１０２Ｃａ，１０２Ｃｂは、アンテナ１０１ａ，１０１ｂを介して受信されるマルチキャリア信号（ＯＦＤＭ信号）に対して、ダウンコンバート等の所定の無線処理を行う。また、ＲＦ部１０２Ｃａ，１０２Ｃｂは、アンテナ１０１ａ，１０１ｂの受信系におけるＳＮの情報Ｉsna，Ｉsnbを出力する。
【００８１】
また、受信機１００Ｃにおいては、図１、図５の受信機１００Ａ，１００Ｂにおける受信制御部１１２，１１２Ｂの代わりに、受信制御部１１２Ｃが設けられる。
【００８２】
受信制御部１１２Ｃは、ＲＦ部１０２Ｃａ，１０２Ｃｂから供給される受信信号Ｓａ，ＳｂのＳＮの情報Ｉsna，Ｉsnb、デコーダ１１０から供給される伝送レートの情報Ｉtrおよびチャネル補正部１０５Ｂａ，１０５Ｂｂで得られる受信信号の振幅情報Ｉama，Ｉambに基づいて、セレクタ１０７の選択動作を制御する。この場合、受信制御部１１２Ｃは、以下の、制御Ｃ１または制御Ｃ２を行う。
【００８３】
（１）制御Ｃ１
上述したように、ＭＢ−ＯＦＤＭ方式では、ＰＨＹモードは５３．３Ｍbpsから４８０Ｍbpsまで８種類定義される（図３０参照）。受信制御部１１２Ｃは、伝送レート情報Ｉtrに基づいて、２００Ｍbps以下の伝送レートであるときは、受信信号Ｓａまたは受信信号Ｓｂを出力するように、セレクタ１０７を制御する。そして、この場合、受信制御部１１２は、ＳＮ情報Ｉsna，Ｉsnbおよび振幅情報Ｉama，Ｉambに基づき、受信信号Ｓａ，Ｓｂのうち、受信特性が良好となる側の受信信号を選定する。
【００８４】
受信制御部１１２Ｃは、受信信号Ｓａを選定するとき、アンテナ１０１ａの受信系を構成するＲＦ部１０２Ｃａ、Ａ／Ｄ変換器１０３ａ、ＦＦＴ部１０４ａおよびチャネル補正部１０５Ｂａを電源オンとして動作状態とし、アンテナ１０１ｂの受信系を構成するＲＦ部１０２Ｃｂ、Ａ／Ｄ変換器１０３ｂ、ＦＦＴ部１０４ｂおよびチャネル補正部１０５Ｂｂを電源オフとして非動作状態とする。また、受信制御部１１２Ｃは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【００８５】
また、受信制御部１１２Ｃは、伝送レート情報Ｉtrに基づいて、３２０Ｍbps以上の伝送レートであるときは、合成受信信号Ｓabを出力するように、セレクタ１０７を制御する。また、この場合、受信制御部１１２Ｃは、アンテナ１０１ａの受信系を構成するＲＦ部１０２Ｃａ、Ａ／Ｄ変換器１０３ａ、ＦＦＴ部１０４ａおよびチャネル補正部１０５Ｂａを動作状態とすると共に、アンテナ１０１ｂの受信系を構成するＲＦ部１０２Ｃｂ、Ａ／Ｄ変換器１０３ｂ、ＦＦＴ部１０４ｂおよびチャネル補正部１０５Ｂｂも動作状態とする。
【００８６】
（２）制御Ｃ２
受信制御部１１２Ｃは、伝送レート情報Ｉtr、ＳＮ情報Ｉsna，Ｉsnbおよび振幅情報Ｉama，Ｉambに基づき、受信信号Ｓａ，Ｓｂの振幅、ＳＮに対して２本のアンテナで受信すべき伝送レートでないと判断するときは、受信信号Ｓａまたは受信信号Ｓｂを出力するように、セレクタ１０７を制御する。そして、この場合、受信制御部１１２Ｃは、ＳＮ情報Ｉsna，Ｉsnbおよび振幅情報Ｉama，Ｉambに基づき、受信信号Ｓａ，Ｓｂのうち、受信特性が良好となる側の受信信号を選定する。
【００８７】
受信制御部１１２Ｃは、受信信号Ｓａを選定するとき、アンテナ１０１ａの受信系を構成するＲＦ部１０２Ｃａ、Ａ／Ｄ変換器１０３ａ、ＦＦＴ部１０４ａおよびチャネル補正部１０５Ｂａを電源オンとして動作状態とし、アンテナ１０１ｂの受信系を構成するＲＦ部１０２Ｃｂ、Ａ／Ｄ変換器１０３ｂ、ＦＦＴ部１０４ｂおよびチャネル補正部１０５Ｂｂを電源オフとして非動作状態とする。また、受信制御部１１２Ｃは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【００８８】
また、受信制御部１１２Ｃは、伝送レート情報Ｉtr、ＳＮ情報Ｉsna，Ｉsnbおよび振幅情報Ｉama，Ｉambに基づき、受信信号Ｓａ，ＳｂのＳＮ、振幅に対して２本のアンテナで受信すべき伝送レートであると判断するときは、合成受信信号Ｓabを出力するように、セレクタ１０７を制御する。また、この場合、受信制御部１１２Ｃは、アンテナ１０１ａの受信系を構成するＲＦ部１０２Ｃａ、Ａ／Ｄ変換器１０３ａ、ＦＦＴ部１０４ａおよびチャネル補正部１０５Ｂａを動作状態とすると共に、アンテナ１０１ｂの受信系を構成するＲＦ部１０２Ｃｂ、Ａ／Ｄ変換器１０３ｂ、ＦＦＴ部１０４ｂおよびチャネル補正部１０５Ｂｂも動作状態とする。
【００８９】
図８に示す受信機１００Ｃのその他の構成は、図１、図５に示す受信機１００Ａ，１００Ｂの構成と同様である。また、受信機１００Ｃの動作は、受信制御部１１２Ｃの制御動作を除き、受信機１００Ａ，１００Ｂの動作と同様である。
【００９０】
図９のフローチャートは、受信制御部１１２Ｃの、上述した「制御Ｃ１」の制御手順を示している。受信制御部１１２Ｃは、ステップＳＴ３１で受信が開始されるとき、ステップＳＴ３２に移り、ＲＦ部１０２Ｃａ，１０２Ｃｂで得られたＳＮ情報Ｉsna，Ｉsnbに基づいて受信信号Ｓａ，ＳｂのＳＮを確認すると共に、チャネル補正部１０５Ｂａ，１０５Ｂｂで得られた振幅情報Ｉama，Ｉambに基づいて受信信号Ｓａ，Ｓｂの振幅を確認する。また、受信制御部１１２Ｃは、ステップＳＴ３３で、デコーダ１１０から供給されるペイロード伝送レートの情報Ｉtrに基づいて、受信データのペイロード伝送レートを確認する。
【００９１】
次に、受信制御部１１２Ｃは、ステップＳＴ３４で、ペイロード伝送レートが、２本のアンテナで受信すべき伝送レートであるか否かを判定する。受信制御部１１２Ｃは、２本のアンテナで受信すべき伝送レート、つまり３２０Ｍbps以上の伝送レートであるときは、ステップＳＴ３５に進み、アンテナ１０１ａ，１０１ｂの両方の受信系をイネーブル状態（動作状態）とし、セレクタ１０７を受信信号Ｓabの選択状態とする。
【００９２】
この場合、受信制御部１１２Ｃは、例えば、最初はアンテナ１０１ａ，１０１ｂの双方で受信するように制御し、ヘッダの伝送レート情報Ｉtrにより伝送レートが３２０Ｍbps以上であることを確認した後、そのまま、アンテナ１０１ａ，１０１ｂの双方で受信するように制御する（図４参照）。
【００９３】
また、受信制御部１１２Ｃは、２本のアンテナで受信すべき伝送レートでない伝送レート、つまり２００Ｍbps以下の伝送レートであるときは、ステップＳＴ３６に進み、受信信号Ｓａ，ＳｂのＳＮ、振幅を比較する。そして、受信制御部１１２Ｃは、ステップＳＴ３７で、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。受信制御部１１２Ｃは、受信特性が良好となる側の受信信号を選定する。
【００９４】
この場合、受信制御部１１２Ｂは、最初はアンテナ１０１ａ，１０１ｂの双方で受信するように制御し、ヘッダの伝送レート情報Ｉtrにより伝送レートが２００Ｍbps以下であることを確認した後、アンテナ１０１ａまたはアンテナ１０１ｂのみで受信するように切り替える（アンテナ１０１ｂのみで受信する場合、図３参照）。
【００９５】
図１０のフローチャートは、受信制御部１１２Ｃの、上述した「制御Ｃ２」の制御手順を示している。受信制御部１１２Ｃは、ステップＳＴ４１で受信が開始されるとき、ステップＳＴ４２に移り、ＲＦ部１０２Ｃａ，１０２Ｃｂで得られたＳＮ情報Ｉsna，Ｉsnbに基づいて受信信号Ｓａ，ＳｂのＳＮを確認すると共に、チャネル補正部１０５Ｂａ，１０５Ｂｂで得られた振幅情報Ｉama，Ｉambに基づいて受信信号Ｓａ，Ｓｂの振幅を確認する。また、、受信制御部１１２Ｃは、ステップＳＴ４３で、デコーダ１１０から供給されるペイロード伝送レートの情報Ｉtrに基づいて、受信データのペイロード伝送レートを確認する。
【００９６】
次に、受信制御部１１２Ｃは、ステップＳＴ４４で、受信信号Ｓａ，ＳｂのＳＮ、振幅に対して２本のアンテナで受信すべき伝送レートであるか否かを判定する。受信制御部１１２Ｃは、受信信号Ｓａ，ＳｂのＳＮ、振幅に対して２本のアンテナで受信すべき伝送レートであるときは、ステップＳＴ４５に進み、アンテナ１０１ａ，１０１ｂの両方の受信系をイネーブル状態（動作状態）とし、セレクタ１０７を受信信号Ｓabの選択状態とする。
【００９７】
この場合、受信制御部１１２Ｃは、例えば、最初はアンテナ１０１ａ，１０１ｂの双方で受信するように制御し、ヘッダの伝送レート情報Ｉtr、ＳＮ情報Ｉsna，Ｉsnbおよび振幅情報Ｉama，Ｉambにより２本のアンテナで受信すべき伝送レートであることを確認した後、そのまま、アンテナ１０１ａ，１０１ｂの双方で受信するように制御する（図４参照）。
【００９８】
また、受信制御部１１２Ｃは、受信信号Ｓａ，ＳｂのＳＮ、振幅に対して２本のアンテナで受信すべき伝送レートでないときは、ステップＳＴ４６に進み、受信信号Ｓａ，ＳｂのＳＮ、振幅を比較する。そして、受信制御部１１２Ｃは、ステップＳＴ４７で、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。受信制御部１１２Ｃは、受信特性が良好となる側の受信信号を選定する。
【００９９】
この場合、受信制御部１１２Ｃは、最初はアンテナ１０１ａ，１０１ｂの双方で受信するように制御し、ヘッダの伝送レート情報Ｉtr、ＳＮ情報Ｉsna，Ｉsnbおよび振幅情報Ｉama，Ｉambにより２本のアンテナで受信すべき伝送レートでないことを確認した後、アンテナ１０１ａまたはアンテナ１０１ｂのみで受信するように切り替える（アンテナ１０１ｂのみで受信する場合、図３参照）。
【０１００】
図８に示すＭＢ−ＯＦＤＭ受信機１００Ｃにおいては、２本のアンテナで受信すべき伝送レートでないとき（制御Ｃ１）、あるいは、受信信号Ｓａ，ＳｂのＳＮ、振幅に対して２本のアンテナで受信すべき伝送レートでないとき（制御Ｃ２）、セレクタ１０７では受信信号Ｓａまたは受信信号Ｓｂが選択されて使用アンテナ本数が１本とされ、不使用のアンテナに対応したＲＦ部、Ａ／Ｄ変換器、ＦＦＴ部、チャネル補正部等の動作が停止されるので、低消費電力化を図ることができる。
【０１０１】
また、図８に示すＭＢ−ＯＦＤＭ受信機１００Ｃにおいては、受信制御部１１２Ｃが制御Ｃ２を行う場合には、２本のアンテナを使用するか１本のアンテナを使用するかが、ペイロードの伝送レートの他に受信信号Ｓａ，ＳｂのＳＮ、振幅も考慮されて決定されるので、実際は受信状況が悪いのに伝送レートが低いというだけで使用アンテナ本数が少なくされるという不都合を回避できる。
【０１０２】
また、図８に示す使ＭＢ−ＯＦＤＭ受信機１００Ｃにおいては、１本のアンテナを使用する際に、受信信号Ｓａ，ＳｂのＳＮ、振幅に基づいてアンテナ１０１ａを使用するか、アンテナ１０１ｂを使用するかを決めているので、１本のアンテナを使用する上で、より高い受信特性を得ることができる。
【０１０３】
次に、この発明の第４の実施の形態について説明する。図１１は、第４の実施の形態としてのＭＢ−ＯＦＤＭ受信機１００Ｄの構成を示している。この図１１において、図１、図５と対応する部分には同一符号を付し、その詳細説明は省略する。
【０１０４】
受信機１００Ｄにおいては、図１、図５の受信機１００Ａ，１００Ｂにおける受信制御部１１２，１１２Ｂの代わりに、受信制御部１１２Ｄが設けられる。
【０１０５】
受信制御部１１２Ｄは、チャネル補正部１０５Ｂａ，１０５Ｂｂで得られる受信信号Ｓａ，Ｓｂの振幅情報Ｉama，Ｉambに基づき、２本のアンテナで受信すべき伝送レートでないと判断するときは、受信信号Ｓａまたは受信信号Ｓｂを出力するように、セレクタ１０７を制御する。そして、この場合、受信制御部１１２Ｄは、振幅情報Ｉama，Ｉambに基づき、受信信号Ｓａ，Ｓｂのうち、受信特性が良好となる側の受信信号を選定する。
【０１０６】
受信制御部１１２Ｄは、受信信号Ｓａを選定するとき、アンテナ１０１ａの受信系を構成するＲＦ部１０２ａ、Ａ／Ｄ変換器１０３ａ、ＦＦＴ部１０４ａおよびチャネル補正部１０５Ｂａを電源オンとして動作状態とし、アンテナ１０１ｂの受信系を構成するＲＦ部１０２ｂ、Ａ／Ｄ変換器１０３ｂ、ＦＦＴ部１０４ｂおよびチャネル補正部１０５Ｂｂを電源オフとして非動作状態とする。また、受信制御部１１２Ｄは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【０１０７】
また、受信制御部１１２Ｄは、振幅情報Ｉama，Ｉambに基づき、受信信号Ｓａ，Ｓｂの振幅に対して２本のアンテナで受信すべき伝送レートであると判断するときは、合成受信信号Ｓabを出力するように、セレクタ１０７を制御する。また、この場合、受信制御部１１２Ｄは、アンテナ１０１ａの受信系を構成するＲＦ部１０２ａ、Ａ／Ｄ変換器１０３ａ、ＦＦＴ部１０４ａおよびチャネル補正部１０５Ｂａを動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５Ｂｂも動作状態とする。
【０１０８】
図１１に示す受信機１００Ｄのその他の構成は、図１、図５に示す受信機１００Ａ，１００Ｂの構成と同様である。また、受信機１００Ｄの動作は、受信制御部１１２Ｄの制御動作を除き、受信機１００Ａ，１００Ｂの動作と同様である。
【０１０９】
図１２のフローチャートは、受信制御部１１２Ｄの制御手順を示している。受信制御部１１２Ｄは、ステップＳＴ５１で受信が開始されるとき、ステップＳＴ５２に移り、チャネル補正部１０５Ｂａ，１０５Ｂｂで得られた振幅情報Ｉama，Ｉambに基づいて受信信号Ｓａ，Ｓｂの振幅を確認する。
【０１１０】
次に、受信制御部１１２Ｄは、ステップＳＴ５３で、受信信号Ｓａ，Ｓｂの振幅では２本のアンテナで受信すべきか否かを判定する。受信制御部１１２Ｄは、受信信号Ｓａ，Ｓｂの振幅では２本のアンテナで受信すべきと判定するときは、ステップＳＴ５４に進み、アンテナ１０１ａ，１０１ｂの両方の受信系をイネーブル状態（動作状態）とし、セレクタ１０７を受信信号Ｓabの選択状態とする。
【０１１１】
また、受信制御部１１２Ｄは、受信信号Ｓａ，Ｓｂの振幅では２本のアンテナで受信すべきでないと判断するときは、ステップＳＴ５５に進み、受信信号Ｓａ，Ｓｂの振幅を比較する。そして、受信制御部１１２Ｄは、ステップＳＴ５６で、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。受信制御部１１２Ｄは、受信特性が良好となる側の受信信号を選定する。
【０１１２】
図１３は、受信データに対する、アンテナ１０１ａの受信系およびアンテナ１０１ｂの受信系のイネーブル状態の一例を示している。
【０１１３】
受信データは、パケット構成となっている。このパケットは、プリアンブル信号、チャネル推定信号、ヘッダおよびペイロードが順に配置された構成となっている。チャネル推定信号は、チャネル補正部１０５Ｂａ，１０５Ｂｂにおいて使用される。
【０１１４】
この図１３の例は、振幅情報Ｉama，Ｉambに基づき、アンテナ１０１ｂのみで受信するように制御される例である。この場合、受信制御部１１２Ｄは、最初はアンテナ１０１ａ，１０１ｂの双方で受信するように制御し、チャネル推定信号から得られる振幅情報Ｉama，Ｉambに基づいて１本のアンテナ１０１ｂを使用すると判断した後、アンテナ１０１ｂのみで受信するように切り替える。
【０１１５】
図１４は、受信データに対する、アンテナ１０１ａの受信系およびアンテナ１０１ｂの受信系のイネーブル状態の一例を示している。この図１４の例は、振幅情報Ｉama，Ｉambに基づき、アンテナ１０１ａ，１０１ｂの双方で受信するように制御される例である。この場合、受信制御部１１２Ｄは、最初はアンテナ１０１ａ，１０１ｂの双方で受信するように制御し、チャネル推定信号から得られる振幅情報Ｉama，Ｉambに基づいて２本のアンテナ１０１ａ，１０１ｂを使用すると判断した後、そのまま、アンテナ１０１ａ，１０１ｂの双方で受信するように制御する。
【０１１６】
図１１に示すＭＢ−ＯＦＤＭ受信機１００Ｄにおいては、受信信号Ｓａ，Ｓｂの振幅では２本のアンテナで受信すべきでないとき、セレクタ１０７では受信信号Ｓａまたは受信信号Ｓｂが選択されて使用アンテナ本数が１本とされ、不使用のアンテナに対応したＲＦ部、Ａ／Ｄ変換器、ＦＦＴ部、チャネル補正部等の動作が停止されるので、低消費電力化を図ることができる。
【０１１７】
また、図１１に示すＭＢ−ＯＦＤＭ受信機１００Ｄにおいては、２本のアンテナを使用するか１本のアンテナを使用するかが、受信信号Ｓａ，Ｓｂの振幅に基づいて決定されるので、実際の受信状況に応じて使用アンテナ本数を決定できる。
【０１１８】
また、図１１に示す使ＭＢ−ＯＦＤＭ受信機１００Ｄにおいては、１本のアンテナを使用する際に、受信信号Ｓａ，Ｓｂの振幅に基づいてアンテナ１０１ａを使用するか、アンテナ１０１ｂを使用するかを決めているので、１本のアンテナを使用する上で、より高い受信特性を得ることができる。
【０１１９】
次に、この発明の第５の実施の形態について説明する。図１５は、第５の実施の形態としてのＭＢ−ＯＦＤＭ受信機１００Ｅの構成を示している。この図１５において、図１、図５、図８と対応する部分には同一符号を付し、その詳細説明は省略する。
【０１２０】
受信機１００Ｅにおいては、図１、図５、図８の受信機１００Ａ、１００Ｂ、１００Ｃにおける受信制御部１１２，１１２Ｂ，１１２Ｃの代わりに、受信制御部１１２Ｅが設けられる。
【０１２１】
受信制御部１１２Ｅは、ＲＦ部１０２Ｃａ，１０２Ｃｂから供給される受信信号Ｓａ，ＳｂのＳＮの情報Ｉsna，Ｉsnbおよびチャネル補正部１０５Ｂａ，１０５Ｂｂで得られる受信信号の振幅情報Ｉama，Ｉambに基づいて、セレクタ１０７の選択動作を制御する。この場合、受信制御部１１２Ｅは、以下の制御を行う。
【０１２２】
受信制御部１１２Ｅは、ＳＮ情報Ｉsna，Ｉsnbおよび振幅情報Ｉama，Ｉambに基づき、受信信号Ｓａ，ＳｂのＳＮ、振幅では２本のアンテナで受信すべきでないと判断するときは、受信信号Ｓａまたは受信信号Ｓｂを出力するように、セレクタ１０７を制御する。そして、この場合、受信制御部１１２Ｅは、ＳＮ情報Ｉsna，Ｉsnbおよび振幅情報Ｉama，Ｉambに基づき、受信信号Ｓａ，Ｓｂのうち、受信特性が良好となる側の受信信号を選定する。
【０１２３】
受信制御部１１２Ｅは、受信信号Ｓａを選定するとき、アンテナ１０１ａの受信系を構成するＲＦ部１０２Ｃａ、Ａ／Ｄ変換器１０３ａ、ＦＦＴ部１０４ａおよびチャネル補正部１０５Ｂａを電源オンとして動作状態とし、アンテナ１０１ｂの受信系を構成するＲＦ部１０２Ｃｂ、Ａ／Ｄ変換器１０３ｂ、ＦＦＴ部１０４ｂおよびチャネル補正部１０５Ｂｂを電源オフとして非動作状態とする。また、受信制御部１１２Ｅは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【０１２４】
また、受信制御部１１２Ｅは、ＳＮ情報Ｉsna，Ｉsnbおよび振幅情報Ｉama，Ｉambに基づき、受信信号Ｓａ，ＳｂのＳＮ、振幅では２本のアンテナで受信すべきであると判断するときは、合成受信信号Ｓabを出力するように、セレクタ１０７を制御する。また、この場合、受信制御部１１２Ｅは、アンテナ１０１ａの受信系を構成するＲＦ部１０２Ｃａ、Ａ／Ｄ変換器１０３ａ、ＦＦＴ部１０４ａおよびチャネル補正部１０５Ｂａを動作状態とすると共に、アンテナ１０１ｂの受信系を構成するＲＦ部１０２Ｃｂ、Ａ／Ｄ変換器１０３ｂ、ＦＦＴ部１０４ｂおよびチャネル補正部１０５Ｂｂも動作状態とする。
【０１２５】
図１５に示す受信機１００Ｅのその他の構成は、図１、図５、図８に示す受信機１００Ａ，１００Ｂ，１００Ｃの構成と同様である。また、受信機１００Ｅの動作は、受信制御部１１２Ｅの制御動作を除き、受信機１００Ａ，１００Ｂ，１００Ｃの動作と同様である。
【０１２６】
図１６のフローチャートは、受信制御部１１２Ｅの制御手順を示している。受信制御部１１２Ｅは、ステップＳＴ６１で受信が開始されるとき、ステップＳＴ６２に移り、ＲＦ部１０２Ｃａ，１０２Ｃｂで得られたＳＮ情報Ｉsna，Ｉsnbに基づいて受信信号Ｓａ，ＳｂのＳＮを確認すると共に、チャネル補正部１０５Ｂａ，１０５Ｂｂで得られた振幅情報Ｉama，Ｉambに基づいて受信信号Ｓａ，Ｓｂの振幅を確認する。
【０１２７】
次に、受信制御部１１２Ｅは、ステップＳＴ６３で、受信信号Ｓａ，ＳｂのＳＮ、振幅では２本のアンテナで受信すべきか否かを判定する。受信制御部１１２Ｅは、受信信号Ｓａ，ＳｂのＳＮ、振幅では２本のアンテナで受信すべきであると判断するときは、ステップＳＴ６４に進み、アンテナ１０１ａ，１０１ｂの両方の受信系をイネーブル状態（動作状態）とし、セレクタ１０７を受信信号Ｓabの選択状態とする。
【０１２８】
この場合、受信制御部１１２Ｅは、例えば、最初はアンテナ１０１ａ，１０１ｂの双方で受信するように制御し、ＳＮ情報Ｉsna，Ｉsnbおよび振幅情報Ｉama，Ｉambにより２本のアンテナで受信すべきであることを確認した後、そのまま、アンテナ１０１ａ，１０１ｂの双方で受信するように制御する（図１４参照）。
【０１２９】
また、受信制御部１１２Ｅは、受信信号Ｓａ，ＳｂのＳＮ、振幅では２本のアンテナで受信すべきでないと判断するときは、ステップＳＴ６５に進み、受信信号Ｓａ，ＳｂのＳＮ、振幅を比較する。そして、受信制御部１１２Ｅは、ステップＳＴ６６で、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。受信制御部１１２Ｅは、受信特性が良好となる側の受信信号を選定する。
【０１３０】
この場合、受信制御部１１２Ｅは、最初はアンテナ１０１ａ，１０１ｂの双方で受信するように制御し、ＳＮ情報Ｉsna，Ｉsnbおよび振幅情報Ｉama，Ｉambにより２本のアンテナで受信すべきでないことを確認した後、アンテナ１０１ａまたはアンテナ１０１ｂのみで受信するように切り替える（アンテナ１０１ｂのみで受信する場合、図１３参照）。
【０１３１】
図１５に示すＭＢ−ＯＦＤＭ受信機１００Eにおいては、受信信号Ｓａ，ＳｂのＳＮ、振幅では２本のアンテナで受信すべきでないとき、セレクタ１０７では受信信号Ｓａまたは受信信号Ｓｂが選択されて使用アンテナ本数が１本とされ、不使用のアンテナに対応したＲＦ部、Ａ／Ｄ変換器、ＦＦＴ部、チャネル補正部等の動作が停止されるので、低消費電力化を図ることができる。
【０１３２】
また、図１５に示すＭＢ−ＯＦＤＭ受信機１００Ｅにおいては、２本のアンテナを使用するか１本のアンテナを使用するかが、受信信号Ｓａ，ＳｂのＳＮ、振幅に基づいて決定されるので、実際の受信状況に応じて使用アンテナ本数を決定できる。
【０１３３】
また、図１５に示す使ＭＢ−ＯＦＤＭ受信機１００Ｅにおいては、１本のアンテナを使用する際に、受信信号Ｓａ，ＳｂのＳＮ、振幅に基づいてアンテナ１０１ａを使用するか、アンテナ１０１ｂを使用するかを決めているので、１本のアンテナを使用する上で、より高い受信特性を得ることができる。
【０１３４】
次に、この発明の第６の実施の形態について説明する。図１７は、第６の実施の形態としてのＭＢ−ＯＦＤＭ受信機１００Ｆの構成を示している。この図１７において、図１と対応する部分には同一符号を付し、その詳細説明は省略する。
【０１３５】
受信機１００Ｆにおいては、図１の受信機１００Ａにおける受信制御部１１２の代わりに、受信制御部１１２Ｆが設けられる。
【０１３６】
受信制御部１１２Ｆは、バンドグループの情報Ｉbd、周波数ホッピングパターンの情報としてのＴＦＣ（ＰＨＹチャネル番号）、またはサブキャリアのアボイド情報Ｉcaに基づいて、セレクタ１０７の選択動作を制御する。この場合、受信制御部１１２Ｆは、以下の、制御Ｆ１、制御Ｆ２または制御Ｆ３を行う。
【０１３７】
（１）制御Ｆ１
この制御Ｆ１では、受信制御部１１２Fは、バンドグループの情報Ｉbdに基づいて、セレクタ１０７の選択動作を制御する。バンドグループは、通信を行う周波数を意味する。図１８は、ＭＢ−ＯＦＤＭ方式におけるバンドグループの構成例を示している。例えば、バンドグループ１は４ＧHz帯周辺、バンドグループ３は７ＧHz帯周辺を用いる。バンドグループ３は、バンドグループ１に対して、周波数の差による自由空間損失の差によって、伝搬距離が１／２程度となる。従って、周波数の低いバンドグループを使用している場合は、周波数の高いバンドグループを使用している場合に比べて、使用アンテナ本数を減らすことが可能となる。
【０１３８】
受信制御部１１２Ｆは、バンドグループの情報Ｉbdに基づき、周波数の低いバンドグループ（例えば、バンドグループ１、バンドグループ２）であるときは、受信信号Ｓａまたは受信信号Ｓｂを出力するように、セレクタ１０７を制御する。受信制御部１１２Ｆは、受信信号Ｓａを選定するとき、アンテナ１０１ａの受信系を構成するＲＦ部１０２ａ、Ａ／Ｄ変換器１０３ａ、ＦＦＴ部１０４ａおよびチャネル補正部１０５ａを電源オンとして動作状態とし、アンテナ１０１ｂの受信系を構成するＲＦ部１０２ｂ、Ａ／Ｄ変換器１０３ｂ、ＦＦＴ部１０４ｂおよびチャネル補正部１０５ｂを電源オフとして非動作状態とする。また、受信制御部１１２Ｆは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【０１３９】
また、受信制御部１１２Ｆは、バンドグループの情報Ｉbdに基づき、周波数の高いバンドグループ（例えば、バンドグループ３、バンドグループ４、バンドグループ５）であるときは、合成受信信号Ｓabを出力するように、セレクタ１０７を制御する。また、この場合、受信制御部１１２Ｆは、アンテナ１０１ａの受信系を構成するＲＦ部１０２ａ、Ａ／Ｄ変換器１０３ａ、ＦＦＴ部１０４ａおよびチャネル補正部１０５ａを動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５ｂも動作状態とする。
【０１４０】
（２）制御Ｆ２
この制御Ｆ２では、受信制御部１１２Fは、ＴＦＣに基づいて、セレクタ１０７の選択動作を制御する。図１９は、ＷｉＭｅｄｉａ  ＰＨＹのＭＢ−ＯＦＤＭ方式のチャネルを示している。ＴＦＣ1〜ＴＦＣ4の場合は3バンドで周波数ホッピングを行う、ＴＦＣ５〜ＴＦＣ7は周波数ホッピングを行わない。3バンドで周波数ホッピングを行う場合、電力の瞬時値としては3倍の電力となる。従って、ＴＦＣ１〜ＴＦＣ4の場合には、ＴＦＣ5〜ＴＦＣ7に比べて、2倍程度の伝送距離となることから、使用アンテナ本数を減らすことが可能となる。
【０１４１】
受信制御部１１２Ｆは、ＰＨＹチャネル番号ＴＦＣが１〜４にあるときは、受信信号Ｓａまたは受信信号Ｓｂを出力するように、セレクタ１０７を制御する。受信制御部１１２Ｆは、受信信号Ｓａを選定するとき、アンテナ１０１ａの受信系を構成するＲＦ部１０２ａ、Ａ／Ｄ変換器１０３ａ、ＦＦＴ部１０４ａおよびチャネル補正部１０５ａを電源オンとして動作状態とし、アンテナ１０１ｂの受信系を構成するＲＦ部１０２ｂ、Ａ／Ｄ変換器１０３ｂ、ＦＦＴ部１０４ｂおよびチャネル補正部１０５ｂを電源オフとして非動作状態とする。また、受信制御部１１２Ｆは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【０１４２】
また、受信制御部１１２Ｆは、ＰＨＹチャネル番号ＴＦＣが５〜７にあるときは、合成受信信号Ｓabを出力するように、セレクタ１０７を制御する。また、この場合、受信制御部１１２Ｆは、アンテナ１０１ａの受信系を構成するＲＦ部１０２ａ、Ａ／Ｄ変換器１０３ａ、ＦＦＴ部１０４ａおよびチャネル補正部１０５ａを動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５ｂも動作状態とする。
【０１４３】
（３）制御Ｆ３
この制御Ｆ３では、受信制御部１１２Fは、サブキャリアのアボイド情報Ｉcaに基づいて、セレクタ１０７の選択動作を制御する。
【０１４４】
他のシステムへの干渉低減のために、DAA（Detect And Avoid）のシステムが検討されている。アボイドの方法としては、ＴＦＣを変更してサブバンド単位で回避する方法と、ＯＦＤＭのサブキャリア単位で電力を落とす方法が考えられる。ＭＢ−ＯＦＤＭ方式においては、複数のサブキャリアに情報が重複されることで、チャネル変動に対応している。例えば、５３〜８０Mbpsでは時間軸拡散と周波数軸拡散が行われており、１０６〜２００Mbpsでは時間軸拡散が行われており、また、３２０Mbps以上ではDCM変調が行われている（図３０参照）。
【０１４５】
あるサブキャリアを抜くことは、ある情報の拡散率を下げることに相当する。つまり、ダイバーシティ効果が低減する。従って、アボイドされた（抜かれた）サブキャリアがある場合、アボイドされたサブキャリアと同一情報を送っているサブキャリアが含まれるサブバンドにおいて、アンテナ本数を増やすことが考えられる。
【０１４６】
受信制御部１１２Ｆは、アボイドされたサブキャリアと同一情報を送っているサブキャリアが含まれるサブバンド（以下、「対象サブバンド」という）の受信タイミングでは、合成受信信号Ｓabを出力するように、セレクタ１０７を制御する。また、この場合、受信制御部１１２Ｆは、アンテナ１０１ａの受信系を構成するＲＦ部１０２ａ、Ａ／Ｄ変換器１０３ａ、ＦＦＴ部１０４ａおよびチャネル補正部１０５ａを動作状態とすると共に、アンテナ１０１ｂの受信系を構成するＲＦ部１０２ｂ、Ａ／Ｄ変換器１０３ｂ、ＦＦＴ部１０４ｂおよびチャネル補正部１０５ｂも動作状態とする。
【０１４７】
また、受信制御部１１２Ｆは、対象サブバンド以外のサブバンドの受信タイミングでは、受信信号Ｓａまたは受信信号Ｓｂを出力するように、セレクタ１０７を制御する。受信制御部１１２Ｆは、受信信号Ｓａを選定するとき、アンテナ１０１ａの受信系を構成するＲＦ部１０２ａ、Ａ／Ｄ変換器１０３ａ、ＦＦＴ部１０４ａおよびチャネル補正部１０５ａを電源オンとして動作状態とし、アンテナ１０１ｂの受信系を構成するＲＦ部１０２ｂ、Ａ／Ｄ変換器１０３ｂ、ＦＦＴ部１０４ｂおよびチャネル補正部１０５ｂを電源オフとして非動作状態とする。また、受信制御部１１２Ｆは、受信信号Ｓｂを選定するとき、上述した受信信号Ｓａを選定するときとは逆に、アンテナ１０１ｂの受信系を動作状態とし、アンテナ１０１ａの受信系を非動作状態とする。
【０１４８】
例えば、通常のMB-OFDM信号はホッピングして3バンドを使用している場合、周波数軸で見ると、図２０に示すようになる。また、バンドBにおいて、他システムの信号をディテクトし、J個のサブキャリアをアボイドした場合の周波数軸での信号は、図２１に示すようになる。
【０１４９】
例えば、２００Ｍbpsの時間軸拡散のみを行っている場合は、送信するペイロードのデータ信号は、図２２に示すようになる。時間軸上で、同一情報を複数回、図示の例では２回送信している。上述のバンドBのアボイドの範囲が、データXとデータZのデータを削ってしまうものとする。
【０１５０】
この場合、図２３に示すように、アンテナ使用本数を制御し、バンドAとバンドCにおけるデータXとデータZの受信時に、アンテナ本数を２本として、アンテナでのダイバーシティ効果を得ることで、受信特性を改善できる。
【０１５１】
他の動作の例としては、図２４に示すように、バンドBのときは、低消費電力化のために全てのアンテナで受信せずに、バンドAとバンドCにおいて、データXとデータZの受信時にアンテナ本数を２本とすることで、ダイバーシティ効果を得ることも考えられる。
【０１５２】
なお、上述では、時間拡散のみの場合（１０６〜２００Ｍbps）について示したが、周波数軸拡散と時間軸拡散を用いる場合（５３〜８０Mbps）、DCM変調の場合（３２０〜４８０Mbps）も同様のことが言える。また、上述では、分かりやすいようにペイロードのみアンテナ本数を変更したが、ヘッダでも同様の処理が行える。
【０１５３】
図１７に示す受信機１００Ｆのその他の構成は、図１、図５に示す受信機１００Ａ，１００Ｂの構成と同様である。また、受信機１００Ｆの動作は、受信制御部１１２Ｆの制御動作を除き、受信機１００Ａ，１００Ｂの動作と同様である。
【０１５４】
図２５のフローチャートは、受信制御部１１２Ｆの制御手順を示している。受信制御部１１２Ｆは、ステップＳＴ７１で受信が開始されるとき、ステップＳＴ７２に移る。受信制御部１１２Ｆは、上述の制御Ｆ１においてはバンドグループの情報Ｉbdに基づいてバンドグループを確認し、上述の制御Ｆ２においてはＴＦＣに基づいて周波数ホッピングパターンを確認し、上述の制御Ｆ３においてはアボイド情報Ｉcaに基づいてアボイドされているサブキャリアを確認する。
【０１５５】
次に、受信制御部１１２Ｆは、ステップＳＴ７３で、上述のステップＳＴ７２の確認に基づいて、２本のアンテナで受信すべきか否かを判定する。受信制御部１１２Ｆは、上述の制御Ｆ１においては、周波数の高いバンドグループ（例えば、バンドグループ３、バンドグループ４、バンドグループ５）であるときは２本で受信すべきであると判定し、一方、周波数の低いバンドグループ（例えば、バンドグループ１、バンドグループ１）であるときは２本で受信すべきでないと判定する。
【０１５６】
また、受信制御部１１２Ｆは、上述の制御Ｆ２においては、ＰＨＹチャネル番号ＴＦＣが５〜７にあるときは２本で受信すべきであると判定し、一方、ＰＨＹチャネル番号ＴＦＣが１〜４にあるときは２本で受信すべきでないと判定する。さらに、受信制御部１１２Ｆは、上述の制御Ｆ３においては、アボイドされたサブキャリアと同一情報を送っているサブキャリアが含まれるサブバンド（以下、「対象サブバンド」という）の受信タイミングでは２本で受信すべきであると判定し、その他のサブバンドの受信タイミングでは２本で受信すべきでないと判定する（図２３、図２４参照）。
【０１５７】
２本のアンテナで受信すべきであると判定するとき、受信制御部１１２Ｆは、ステップＳＴ７４に進み、アンテナ１０１ａ，１０１ｂの両方の受信系をイネーブル状態（動作状態）とし、セレクタ１０７を受信信号Ｓabの選択状態とする。また、受信制御部１１２Ｆは、２本のアンテナで受信すべきでないと判定するとき、ステップＳＴ７５に進み、アンテナ１０１ａまたはアンテナ１０１ｂのいずれかの受信系をイネーブル状態（動作状態）とし、セレクタ１０７を受信信号Ｓａまたは受信信号Ｓｂの選択状態とする。なお、図２４に示す例では、アンテナ１０１ａ，１０１ｂのいずれも非選択状態となる。
【０１５８】
図１７に示すＭＢ−ＯＦＤＭ受信機１００Ｆにおいては、周波数の低いバンドグループで通信が行われるとき、３つのサブバンドで周波数ホッピングが行われるとき、あるいはアボイドされたサブキャリアと同一情報を送っているサブキャリアが含まれるサブバンド（以下、「対象サブバンド」という）以外の受信タイミングにあっては、セレクタ１０７では受信信号Ｓａまたは受信信号Ｓｂが選択され、あるいは受信信号Ｓａ，Ｓｂのいずれも選択されず、不使用のアンテナに対応したＲＦ部、Ａ／Ｄ変換器、ＦＦＴ部、チャネル補正部等の動作が停止されるので、低消費電力化を図ることができる。
【０１５９】
図１７に示すＭＢ−ＯＦＤＭ受信機１００Ｆでは、バンドグループの情報Ｉbd、周波数ホッピングパターンの情報としてのＴＦＣ（ＰＨＹチャネル番号）、またはサブキャリアのアボイド情報Ｉcaに基づいて、２本のアンテナを使用すべきか否かの判定を行うものである。しかし、図２６および図２７に示す受信機１００Ｇ，１００Ｈように、受信制御部１１２Ｆに、チャネル補正部１０５Ｂａ，１０５Ｂｂで生成される受信信号Ｓａ，Ｓｂの振幅情報Ｉama，Ｉamb、ＲＦ部１０２Ｃａ，１０２Ｃｂで得られる受信信号Ｓａ，ＳｂのＳＮ情報Ｉsna，Ｉsnbを供給し、図５、図８に示す受信機１００Ｂ，１００Ｃと同様に、受信制御部１１２Ｆでは、これらの情報をも使用して、２本のアンテナを使用すべきか否かの判定、さらには１本のアンテナを使用する場合にあっていずれを使用するかの選定、を行うようにしてもよい。
【０１６０】
なお、上述実施の形態においては、２本のアンテナを備える受信機を示したが、この発明は、３本以上のアンテナを備える受信機にも同様に適用できることは勿論である。この場合、ペイロード伝送レート情報、各受信信号の振幅情報、各受信信号のＳＮ情報、バンドグループ情報、ＴＦＣ（ＰＨＹチャネル番号）情報、サブキャリアのアボイド情報のいずれか、あるいは適当な組み合わせに基づいて、総アンテナ総数（Ｎ本）から使用すべきアンテナ本数（Ｍ本）を決定し、さらにＭ本のアンテナを選定することになる。
【０１６１】
図２８のフローチャートは、受信制御部の一般的な制御手順を示している。受信制御部は、ステップＳＴ８１で受信が開始されるとき、ステップＳＴ８２に移る。そして、受信制御部は、ステップＳＴ８２で、ペイロード伝送レート、受信信号の振幅、受信信号のＳＮ、バンドグループ、周波数ホッピングパターン、アボイドされているサブキャリア等を確認する。
【０１６２】
次に、受信制御部は、ステップＳＴ８３で、ステップＳＴ８２における確認事項に基づいて、受信アンテナ本数（Ｍ本）を決定する。そして、ステップＳＴ８４で、Ｍ本の使用アンテナを選定し、そのＭ本の使用アンテナに対応した受信系を動作状態とすると共に、残りの不使用アンテナに対応した受信系を非動作状態とする。これにより、低消費電力化を図ることができる。
【産業上の利用可能性】
【０１６３】
この発明は、過剰な特性改善を行わずに、低消費電力化を図るものであり、複数のアンテナを用いてダイバーシティ受信をする受信機に適用できる。
【図面の簡単な説明】
【０１６４】
【図１】第１の実施の形態としてのＭＢ−ＯＦＤＭ受信機の構成を示すブロック図である。
【図２】受信制御部におけるアンテナ本数の選択等の制御手順を示すフローチャートである。
【図３】各アンテナの受信系における受信データに対するイネーブル状態（１本のアンテナを使用）の一例を示す図である。
【図４】各アンテナの受信系における受信データに対するイネーブル状態（２本のアンテナを使用）の一例を示す図である。
【図５】第２の実施の形態としてのＭＢ−ＯＦＤＭ受信機の構成を示すブロック図である。
【図６】受信制御部におけるアンテナ本数の選択等の制御手順（制御Ｂ１）を示すフローチャートである。
【図７】受信制御部におけるアンテナ本数の選択等の制御手順（制御Ｂ２）を示すフローチャートである。
【図８】第３の実施の形態としてのＭＢ−ＯＦＤＭ受信機の構成を示すブロック図である。
【図９】受信制御部におけるアンテナ本数の選択等の制御手順（制御Ｃ１）を示すフローチャートである。
【図１０】受信制御部におけるアンテナ本数の選択等の制御手順（制御Ｃ２）を示すフローチャートである。
【図１１】第４の実施の形態としてのＭＢ−ＯＦＤＭ受信機の構成を示すブロック図である。
【図１２】受信制御部におけるアンテナ本数の選択等の制御手順を示すフローチャートである。
【図１３】各アンテナの受信系における受信データに対するイネーブル状態（１本のアンテナを使用）の一例を示す図である。
【図１４】各アンテナの受信系における受信データに対するイネーブル状態（２本のアンテナを使用）の一例を示す図である。
【図１５】第５の実施の形態としてのＭＢ−ＯＦＤＭ受信機の構成を示すブロック図である。
【図１６】受信制御部におけるアンテナ本数の選択等の制御手順を示すフローチャートである。
【図１７】第６の実施の形態としてのＭＢ−ＯＦＤＭ受信機の構成を示すブロック図である。
【図１８】ＭＢ−ＯＦＤＭ方式におけるバンドグループの構成例を示す図である。
【図１９】ＷｉＭｅｄｉａ  ＰＨＹのＭＢ−ＯＦＤＭ方式のチャネルを示す図である。
【図２０】周波数ホッピングして3バンドを使用している場合におけるMB−OFDM信号の周波数スペクトラム（サブキャリアのアボイドなし）を示す図である。
【図２１】周波数ホッピングして3バンドを使用している場合におけるMB−OFDM信号の周波数スペクトラム（サブキャリアのアボイドあり）を示す図である。
【図２２】周波数ホッピングして3バンドを使用する場合であって、例えば伝送レートが２００Ｍbpsで時間軸拡散のみを行っている場合に送信されるペイロードのデータ信号を示す図である。
【図２３】各アンテナの受信系における受信データに対するイネーブル状態の一例を示す図である。
【図２４】各アンテナの受信系における受信データに対するイネーブル状態の一例を示す図である。
【図２５】バンドグループ、周波数ホッピングパターン、またはボイドサブキャリアに基づく、受信制御部におけるアンテナ本数の選択等の制御手順を示すフローチャートである。
【図２６】第７の実施の形態としてのＭＢ−ＯＦＤＭ受信機の構成を示すブロック図である。
【図２７】第８の実施の形態としてのＭＢ−ＯＦＤＭ受信機の構成を示すブロック図である。
【図２８】この発明における受信機の受信制御部におけるアンテナ本数の選択等の制御手順を示すフローチャートである。
【図２９】従来のダイバーシティ受信を行うＭＢ−ＯＦＤＭ受信機の構成を示すブロック図である。
【図３０】ＭＢ−ＯＦＤＭ方式におけるＰＨＹパラメータを示す図である。
【符号の説明】
【０１６５】
１００Ａ〜１００Ｈ・・・ＭＢ−ＯＦＤＭ受信機、１０１ａ，１０１ｂ・・・アンテナ、１０２ａ，１０２ｂ，１０２Ｃａ，１０２Ｃｂ・・・ＲＦ部、１０３ａ，１０３ｂ・・・Ａ／Ｄ変換器。１０４ａ，１０４ｂ・・・ＦＦＴ部、１０５ａ，１０５ｂ，１０５Ｂａ，１０５Ｂｂ・・・チャネル補正部、１０６・・・合成部、１０７・・・セレクタ、１０８・・・復調部、１０９・・・デインターリーバ、１１０・・・デコーダ、１１１・・・出力端子、１１２，１１２Ｂ〜１１２Ｆ・・・受信制御部
【図１】
2008085867.tif 000003
【図２】
2008085867.tif 000004
【図３】
2008085867.tif 000005
【図４】
2008085867.tif 000006
【図５】
2008085867.tif 000007
【図６】
2008085867.tif 000008
【図７】
2008085867.tif 000009
【図８】
2008085867.tif 000010
【図９】
2008085867.tif 000011
【図１０】
2008085867.tif 000012
【図１１】
2008085867.tif 000013
【図１２】
2008085867.tif 000014
【図１３】
2008085867.tif 000015
【図１４】
2008085867.tif 000016
【図１５】
2008085867.tif 000017
【図１６】
2008085867.tif 000018
【図１７】
2008085867.tif 000019
【図１９】
2008085867.tif 000020
【図２０】
2008085867.tif 000021
【図２１】
2008085867.tif 000022
【図２２】
2008085867.tif 000023
【図２３】
2008085867.tif 000024
【図２４】
2008085867.tif 000025
【図２５】
2008085867.tif 000026
【図２６】
2008085867.tif 000027
【図２７】
2008085867.tif 000028
【図２８】
2008085867.tif 000029
【図２９】
2008085867.tif 000030
【図３０】
2008085867.tif 000031
【図１８】
2008085867.tif 000032